(57)【特許請求の範囲】
【請求項１】
前後方向と、幅方向及び上下方向を有し、踵部と履き口部とを有するフットカバー本体を含むフットカバーにおいて、
前記履き口部は、前後端部と、前記前後端部間において前記前後方向へ延びる両側縁部とを有し、
前記履き口部のうち前記両側縁部のみが弾性伸縮可能であって、前記両側縁部には前記前後方向へ伸縮可能なサイド弾性部が配置されており、
前記踵部の内面には、少なくとも一部が、前記フットカバー本体を形成する主糸とともに編み込まれた、前記主糸よりも摩擦係数の高い高摩擦材料によって形成されたすべり止め手段が配置されており、
前記サイド弾性部は、前記前後方向へ延びる直状部分と、前記両側縁部と前記踵部との境界近傍において前記直状部分の後端において斜め下方へ延びる傾斜部分とを有し、
前記踵部の内面には、凸状ライン間に位置して前記幅方向へ延びる複数条の凹部が位置し、前記凸状ラインの前記上下方向の寸法が、前記凹部の前記上下方向の寸法よりも大きく、前記凹部が着用者の肌に接触しないことを特徴とする前記フットカバー。
【請求項２】
前記サイド弾性部のうちの前記直状部分は、袋状である請求項１に記載のフットカバー。
【請求項３】
前記すべり止め手段は、前記上下方向において互いに離間した、前記幅方向へ延びる複数条の前記凸状ラインであって、前記凸状ラインは、前記フットカバー本体を形成する前記主糸から構成された上側部分と、前記高摩擦材料によって前記上側部分と一体的に編成された下側部分とを有する請求項１又は２に記載のフットカバー。
【請求項４】
前記高摩擦材料は、カバーリングされていないポリウレタン糸である請求項１〜３のいずれかに記載のフットカバー。
【発明の詳細な説明】
【技術分野】
【０００１】
本発明は、フットカバーに関する。
【背景技術】
【０００２】
特許文献１には、足底と踵部とを被覆するとともに、足甲と足首を露出するフットカバーが開示されている。
【先行技術文献】
【特許文献】
【０００３】
【特許文献１】特開２０１４−４３６６２号公報
【発明の概要】
【発明が解決しようとする課題】
【０００４】
特許文献１に開示のフットカバーにおいては、着用状態においてフットカバーの一部が露出しないように、履き口が比較的に大きく形成されているために、歩行中の摩擦等によって履き位置がずれて一部が脱げたりするおそれがあるが、踵部の内面に貼付された、シリコン樹脂等から形成された短片状のすべり止めシートが複数配置されていることによって、かかる履き位置のずれが防止されている。
【０００５】
しかし、かかるすべり止めシートは、フットカバーの踵部の内面に接着剤等の接合手段によって取り付けられているのみであるから、複数回の使用によって接合強度が低下し、歩行時の摩擦によってすべり止めシートの一部がフットカバーから剥がれてしまうことがある。一方、かかる事態を防止するために、すべり止めシートをフットカバーの編糸とともに編成に組み込もうとしても、すべり止めシートは、軟質であって、かつ、所定幅を有するものであるから、編糸とともに編み込むことは困難である。
【０００６】
また、通常のフットカバーにおいては、靴の内部において履き口部が位置ずれして脱げたりしないようにするために、履き口部の全域に弾性糸を編み込んだ生地や帯状の弾性部材を配置することによって弾性を付与するものがあるが、全域に弾性を付与することによって履き口部が収縮して開口が小さくなり、履くときに足先を挿入し難くなる。
【０００７】
本発明は、従来のフットカバーの改良であって、踵部におけるすべりを抑制するとともに、履き口部のフィット性に優れ、着用操作が容易であるフットカバーの提供に関する。
【課題を解決するための手段】
【０００８】
本発明は、前後方向と、幅方向及び上下方向を有し、踵部と履き口部とを有するフットカバー本体を含むフットカバーに関する。
【０００９】
本発明に係るフットカバーは、前記履き口部は、前後端部と、前記前後端部間において前記前後方向へ延びる両側縁部とを有し、前記履き口部のうち前記両側縁部のみが弾性伸縮可能であって、前記両側縁部には前記前後方向へ伸縮可能なサイド弾性部が配置されており、前記踵部の内面には、少なくとも一部が、前記フットカバー本体を形成する主糸とともに編み込まれた、前記主糸よりも摩擦係数の高い高摩擦材料によって形成されたすべり止め手段が配置されており、前記サイド弾性部は、前記前後方向へ延びる直状部分と、前記両側縁部と前記踵部との境界近傍において前記直状部分の後端において斜め下方へ延びる傾斜部分とを有し、前記踵部の内面には、凸状ライン間に位置して前記幅方向へ延びる複数条の凹部が位置し、前記凸状ラインの前記上下方向の寸法が、前記凹部の前記上下方向の寸法よりも大きく、前記凹部が着用者の肌に接触しないことを特徴とする。
【００１１】
本発明に係るフットカバーの他の実施態様の一つとしては、前記サイド弾性部のうちの前記直状部分は、袋状である。
【００１２】
本発明に係るフットカバーのさらに他の実施態様の一つとしては、前記すべり止め手段は、前記上下方向において互いに離間した、前記幅方向へ延びる複数条の凸状ラインであって、前記凸状ラインは、前記フットカバー本体を形成する前記主糸から構成された上側部分と、前記高摩擦材料によって前記上側部分と一体的に編成された下側部分とを有する。
【００１４】
本発明に係るフットカバーのさらに他の実施態様の一つとしては、前記高摩擦材料は、カバーリングされていないポリウレタン糸である。
【発明の効果】
【００１５】
本発明に係るフットカバーにおいては、履き口部のうちの前記両側縁部にのみ前後方向へ伸縮可能なサイド弾性部が配置されていることから、適度なフィット性を有するとともに、開口縁部全体が収縮して着用するときに足先を挿入し難くなることはない。また、踵部の内面にフットカバー本体を形成する主糸とともに編み込まれた、主糸よりも摩擦係数の高い高摩擦材料から形成されたすべり止め手段が配置されていることによって、着用中の位置ずれが防止されるとともに、製造工程が容易になる。
【図面の簡単な説明】
【００１６】
図面は、本発明の特定の実施の形態を示し、発明の不可欠な構成ばかりでなく、選択的及び好ましい実施の形態を含む。
【図１】フットカバーの着用状態を示す斜視図。
【図２】（ａ）フットカバーの側面図。（ｂ）図１のＩＩ（ｂ）−ＩＩ（ｂ）線に沿う斜視断面図。
【図３】（ａ）フットカバーの踵部の内面を示す図。（ｂ）図３（ａ）のＩＩＩ（ｂ）−ＩＩＩ（ｂ）線に沿う断面図。
【図４】フットカバーのサイド弾性部を含む、履き口部を上方側から下方側へ編成する工程を示した図。
【図５】図５（ａ）は、踵部の凸状ラインの編成工程を示す図。図５（ｂ）は、図５（ａ）の編成工程によって編成して網目を重ね合わせた状態を示す図。
【発明を実施するための形態】
【００１７】
下記の各実施の形態は、図１〜図５に示すフットカバー１０に関し、発明の不可欠な構成ばかりではなく、選択的及び好ましい構成を含む。
【００１８】
図１及び２を参照すると、本実施形態に係るフットカバー１０は、前後方向Ｙ、幅方向Ｘ及び上下方向Ｚを有し、主糸（綿糸やナイロン糸等）によって網目状に編成されたフットカバー本体１１を有する。フットカバー本体１１は、踵部１３、足底部１４、側方部１５及び足指部１６を含む。側方部１５の上端縁側には、足の挿入口を画成する履き口部１７が位置する。図示していないが、足指部１６の内部には、第１〜第５足指の５本の足指をそれぞれ挿入するための、隔離壁によって分断された複数の挿入部を有する。なお、本明細書におけるフットカバーとは、比較的に浅上の足を被覆する衣類全般を含むものであって、例えば、ソックスカバー、インナーソックス、カバーソックス及び丈の短い靴下等を含む。
【００１９】
履き口部１７は、足指部１６側に位置する前端部１７ａと、踵部１３の上端縁を形成する後端部１７ｂと、後端部１７ｂ間において前後方向Ｘへ延びる両側縁部１７ｃ，１７ｄとを有する。後端部１７ｂは、着用者の踵全体を被覆できるように、前端部１７ａ及び両側縁部１７ｃ，１７ｄよりも上方へ突出している。本実施形態において、履き口部１７は、平面視において楕円形状の外形をなしているが、フットカバーの形態に応じで多様な形状をとることができる。
【００２０】
＜サイド弾性部＞
図２を参照すると、フットカバー１０の側面視において、履き口部１７は、その全域のうちの両側縁部１７ｃ，１７ｄにのみ配置されたサイド弾性部２０を有する。サイド弾性部２０は、内層と外層とそれらの間に形成された内部空間２４とから画成された２重構造からなる袋状であって、フットカバー本体１１に使用される主糸と異なる弾性糸から編成されており、両側縁部１７ｃ，１７ｄの上側縁に沿って前後方向Ｙへ延びる直状部分２１と、側方部１５と踵部１３との境界近傍において直状部分２１の後端から後方かつ斜め下方へ延びる傾斜部分２２とを有する。直状部分２１は、袋状の２重構造であるが、傾斜部分２２は、袋状の２重構造ではなく、単層構造であってもよい。なお、サイド弾性部２０は、後記の編成方法によって形成することができるが、直状部分２１は天竺編み、傾斜部分２２はガーター編みによって編み込むことができる。
【００２１】
従来、履き口部の全域に周方向へ延びる弾性糸から形成された編み生地や平ゴムを配置することによって、伸縮性を付与したフットカバーは公知であるが、かかるフットカバーにおいては、履き口部の全域が伸縮することによって足部に対する密着性が向上する一方、周方向に連続して伸縮することによって開口の寸法が縮められ、着用時に足先を挿入するときに、両手で履き口部を拡げる必要があり、手間であった。
【００２２】
本発明に係るフットカバー１０においては、履き口部１７の全域に弾性糸等の弾性部材が配置されておらず、両側縁部１７ｃ，１７ｄにのみ配置されていることによって、サイド弾性部２０が収縮した状態において、その内周寸法が足先が挿入し難い程度にまで小さくなることはなく、着用時に履き口部１７を両手で拡げなくても足先を容易に挿入することができる。また、履き口部１７の両側縁部１７ｃ，１７ｄにサイド弾性部２０が配置されていることによって着用状態において足の側方部１５に対する密着性が向上し、歩行時や靴を脱ぐときに、摩擦によってフットカバー１０の一部が捲れたり、履き位置がずれたりするのを抑制することができる。
【００２３】
また、履き口部１７の両側縁部１７ｃ，１７ｄは、他の部分に比して歩行するときに靴の内面と摺れて破れ易い部分であるが、サイド弾性部２０が袋状の２重構造を有することによって単層構造からなる他の部分に比して生地強度が高くなり、繰り返し使用しても両側縁部１７ｃ，１７ｄの一部が破れることはない。また、履き口部１７の全周に平ゴム等の帯状の弾性部材を配置した場合には、通気性が低下してフットカバー内部の蒸れを生じるおそれがあるが、サイド弾性部２０は、袋状の２重構造を有することによって内外層間に内部空間２４が形成され、通気性に優れる。
【００２４】
＜すべり止め手段＞
踵部１３の内面には、上下方向Ｚにおいて互いに離間して幅方向Ｘへ延びる、踵部１３の内面から突出した複数の凸状ライン（すべり止め手段）３０が設けられている。凸状ライン３０は、それぞれ、踵部１３を編成する主糸を編み込んで形成された上側部分３３と、上側部分３３を編成する主糸とともに編み込まれた、主糸よりも高い摩擦係数を有する、高摩擦材料から形成された下側部分３４とを有する。下側部分３４を形成する高摩擦材料には、例えば、弾性糸やシリコン樹脂を好適に用いることができ、弾性糸から形成する場合には、カバーリングされていないポリウレタン弾性糸（スパンデックス糸等）を用いることが好ましい。従来、ポリウレタン弾性糸の単体では、編み機においてすべりが良くないために編み込みが困難であるため、主糸とともに編み込むためには、カバーリングされたポリウレタン弾性糸が使用されていたが、編み機の性能を向上させることによって、ポリウレタン弾性糸単体の編み込みを実現することができる。具体的には、主糸及び弾性糸に適度なテンションを与えるためのテンションデスクによる抵抗を最小限に抑えるとともに、それらの糸を送るための補助用／たるみ防止用のテンション付与部における各糸の引っ張り度合いが最小限になるように設定した。また、糸切れ検知部の誤検知の発生を可能な限り抑えるとともに、糸が切れた場合には検知されるように、最小限度の検知レベルで調整した。このような、従来では採用されていない製法を編み機に組み込まれた制御プログラムに設定をすることによって、編み機のみによるフットカバー１０の製造が実現できた。
【００２５】
従来、フットカバーの脱げ防止のために、例えば、踵部の内面にドット状やライン状にシリコンコート工程を施すフットカバーは公知であるが、かかるフットカバーにおいては、編成工程と別にシリコンコート工程を要するので、製造工程が多くなり、コスト負担が増加する。また、接着剤によってシリコーンゴムを貼付する場合には、摩擦によって着用中にシリコーンゴムが剥離するおそれがあった。
【００２６】
本実施形態に係るフットカバー１０においては、高摩擦材料が主糸とともに編み込まれているので、従来のように、編み機によるフットカバー本体の編成工程と履き口部に弾性部材をミシンによって縫い付ける工程とを要さず、編み機のみによってフットカバー１０全体を製造することができるので、製造工程の簡略化による生産性の向上とコストダウンとを実現することができる。また、ポリウレタン糸は綿糸等に比べて通気性が悪く踵部１３の蒸れの原因となるおそれがあるが、すべり止め手段３０は、幅方向Ｘへ延びる複数条の凸状ライン３０から形成されていることによって、面状に踵にフィットされる場合に比して、接触面積が減少し、凸状ライン３０間に位置する凹部３５が肌に接触しないことから通気性に優れ、フットカバー内部の蒸れを防止し、蒸れによる靴擦れの発生を抑制することができる。
【００２７】
かかるすべり止めの効果と通気性の効果とを発揮するために、凸状ライン３０の上下方向Ｚの寸法（幅寸法）Ｗ２は、凹部３５の上下方向Ｚの幅寸法Ｗ３よりも大きいことが好ましく、具体的には、寸法Ｗ２は、寸法Ｗ３の１．２〜２．０倍の大きさを有する。寸法Ｗ２が寸法Ｗ３の１．２倍以下の大きさの場合には、すべり止め効果が減少して踵部１３の位置ずれを生じるおそれがある。一方、寸法Ｗ２が、寸法Ｗ３の２．０倍以上の大きさの場合には、凹部３５における空気の通りが悪くなり、踵が蒸れて不快感を与えるおそれがある。また、凸状ライン３０の総面積は、複数の凸状ライン３０とその間に位置する複数の凹部３５とを含む領域全体の面積の６０〜８０％の大きさを有することが好ましい。
【００２８】
既述のように、履き口部１７の両側縁部１７ｃ，１７ｄに配置されたサイド弾性部２０によって履き口部１７が足にフィットされて位置ずれが抑制されるとともに、凸状ライン３０によって踵部１３のすべりが抑制されるので、足の両側及び後側に安定してフットカバーが接触した状態が維持され、歩行時や靴を脱ぐときにフットカバー１０が脱げるのを防止することができる。また、凸状ライン３０を形成する高摩擦材料として、ポリウレタン糸等の弾性糸を使用することによって、伸縮性に優れ、サイド弾性部２０とともにフットカバー１０の足に対するフィット性を向上させることができる。
【００２９】
＜履き口部のサイド弾性部の編成方法＞
図４は、サイド弾性部２０を含む、履き口部１７を上側から下側へ編成する手順を示したものである。図４において、太線で示された部分は、サイド弾性部２０を形成する弾性糸による編成であって、それ以外の部分はフットカバー本体１１を形成する主糸による編成である。
【００３０】
図４を参照すると、まず、編成Ａにおいて、右サイドの弾性糸（スパンデックス）を主糸（綿糸）とともに編成して、次の編成のために一度反対方向に両方の糸道を退避させる。編成Ｂでは、本来後側に網目が存在しない場所なので、新しく後側に網目を作成し、サイド弾性部２０の袋状編成の準備をする。かかる段階において、サイド弾性部２０の幅寸法（上下方向Ｚの寸法）Ｗ１（図２参照）を適宜自由に変更することができる。次に、編成Ｃにおいて、前後に編み立てをして前後の編成をして、一方側縁部１７ｄ側の袋状のサイド弾性部２０を形成する。
【００３１】
編成Ｃの後に、主糸を編み機において左側に移動させた後、主糸で編成Ｄを行う。編成Ｄは、編成Ａと同じウエール方向の長さを有する。編成Ｅでは、次の編成Ｆにおいて編成Ｂ，Ｃで編成された後側の網目が干渉することを避けるために、後側の網目を前側の網目の存在しない針に目移して退避させる。編成Ｆにおいては、左サイドのゴム糸の編成に移り、ゴム糸は編成Ａで使用したゴム糸の糸道とは別の糸道を使用し、編成方法は同様の方法を採用する。これによって、他方側縁部１７ｃ側のサイド弾性部２０が形成される。編成Ｇまで編成した後に、編成Ｈにて前に退避していた網目を目移しして後側に移し、次のサイド弾性部２０の編成の準備をする。
【００３２】
編成Ｉで主糸を使用して編成した後、次の編成Ｊの妨げとなるために右サイドに移動させる。編成Ｊではサイド弾性部２０の編成を行い、次の編成Ｋの後側の最終編成の際に、編み幅よりも１目右サイドに掛け目で編成することによって、主糸で編成されている生地と一体となる。編成Ｋ終了後に、編成Ｌを主糸で編成し、編成Ｍにおいて編成Ｅと同様の退避処理を行う。編成Ｎで後側を編成しながら左サイドに移動し、右サイドと同様の編成を行う。編成Ｏまで終了した後は、編成Ｈ〜Ｏを繰り返して行うことによって、サイド弾性部２０の幅寸法Ｗ１を自由に設定することができる。編成Ｈ〜Ｏを任意に繰り返した後に、最終パターンとしてＰ・Ｐ’をＭ・Ｍ’と同様に空き針に目移しするのではなく、前側に存在する網目に重ねることにより弾性糸による弾性部の袋状編成を終了する。
【００３３】
本編成工程では、伏せ目処理を行わず、掛け目によってフットカバー本体を編成する主糸と高弾性部を編成する弾性糸とを接続していくので、伏せ目処理によって接続する場合に比して網目が薄くなり、接続箇所に段差が形成されないことから、着用者したときに違和感を与えることない。
【００３４】
＜踵部の凸状ラインの編成工程＞
図５（ａ）は、踵部１３の凸状ライン３０の編成工程を示す図、図５（ｂ）は、編成して網目を重ね合わせた状態を示す図である。図５（ａ），（ｂ）において、凸状ライン３０の下側部分３４を形成する前目の高摩擦材料（ポリウレタン糸，１００％）を太線で示し、その他の部分は、フットカバー本体１１を形成する後目の主糸による編成である。
【００３５】
まず、編成Ｓ１において、前側に新しい網目を作成して、踵部１３のすべり止め手段３０の編成の準備をする。前後に掛け目を編成することによって前側は新しい網目を、後側は現在存在する網目に重ねることができる。これによって、後に編成する前の網目の脱を防ぐことができる。
【００３６】
編成Ｓ２において、前側の網目を連続して編成する。かかる時点において、後側の網目を作成しないことによって、前側と後側とにおいてコース数に差が生じて、踵部の内面において幅方向Ｘへ延びる凸状ライン３０が形成される。なお、凸状ライン３０の幅寸法（上下方向の寸法）Ｗ２は、編成Ｓ２における網目の編成方法によって適宜自由に変更することができる。編成Ｓ３においては、編成Ｓ２で編成された網目を編成Ｓ４に目移し機能で前側から後側へ移動させる際に編成Ｓ２で編成した網目が不安定のために、主糸で一度編成して確実に目移しができる網目を作成する。
【００３７】
編成Ｓ４では、前段の網目を後段の網目と接続し、一旦、編成Ｓ２の編成を終了させる。これによって、踵部１３の内面には、複数の凸状ライン３０が形成される。編成Ｓ５では、主糸で後側のみ連続して編成する。編成Ｓ２と編成Ｓ５とをセットにして繰り返すことによって凸状ライン３０とそれらの間に位置する凹部３５とが形成される。
【００３８】
フットカバー１０において、踵部１３と履き口部１７の両側縁部１７ｃ，１７ｄを除く部分には、フットカバー１０を含む靴下の編み方として一般的に採用されている編み方、例えば、平編み、メッシュ編み、パイル編み又はこれらの組み合わせにより編成することができる。また、各編成に用いる表糸、裏糸、添え糸の太さ、素材、組み合わせは任意であり、通常の靴下の編成に用いられる素材を適宜選択して使用することができる。主糸には、綿アクリル混紡糸、毛糸、絹糸、絹アクリル混紡糸等を用いることができる。
【符号の説明】
【００３９】
１０  フットカバー
１１  フットカバー本体
１３  踵部
１７  履き口部
１７ａ  前端部
１７ｂ  後端部
１７ｃ，１７ｄ  両側縁部
２０  サイド弾性部
２１  直状部分
２２  傾斜部分
３０  凸状ライン（すべり止め手段）
３３  上側部分
３４  下側部分
３５  凹部
Ｗ２  凸状ラインの上下方向の寸法
Ｗ３  凹部の上下方向の寸法
Ｘ  幅方向
Ｙ  前後方向
Ｚ  上下方向
【図１】
0006407129.tif 000002
【図２】
0006407129.tif 000003
【図３】
0006407129.tif 000004
【図４】
0006407129.tif 000005
【図５】
0006407129.tif 000006